(57)【要約】      （修正有）【課題】流体容器を下向きに収納し、流体容器をサーバ本体のサーバコネクタが上方に向けて設けられた容器装着部に容易に装着することが出来る箱を提供する。【解決手段】流体を収容する流体容器１のネック部２を下向きにして収納する収納部１１と、収納部１１の内側又は外側に設けられ、収納部１１に収納された流体容器１のネック部２を、収納部１１の底面において外部に臨ませる開口部１５を閉塞する閉塞部２１とを備える。例えば、流体容器１のネック部２は、収納部１１の底面より突出し、閉塞部２１は、収納部１１の底面又は底面側に外付けされ、収納部１１の底面より突出したネック部２が係合される係合支持部１７を有する。閉塞部２１には、足掛部を設け、閉塞部２１を踏み付けることで、収納部１１から閉塞部２１を外しやすくしても良い。また、収納部１１内には、流体容器１のネック部２の周囲を支持する容器支持部が設けるようにしても良い。【選択図】図１
2018024478.tif 000002
【特許請求の範囲】
【請求項１】
口部を有する収納物を収納する収納部と、
上記収納部の底面に形成され、上記収納物の上記口部を外部に臨ませ得る開口部と、
上記収納部内に設けられた、上記口部の周囲を支持し得る容器支持部と、
上記開口部を閉塞する閉塞部と、
外部からの操作によって上記開口部を開放し得る外部操作部とを備え、
上記開口部を下に向けた状態で、上記外部操作部の操作により上記開口部を開放したとき、上記開口部を介して上記口部が露出し、上記容器支持部により上記口部を支持する位置まで上記収納物が降出することを特徴とする閉塞開口部開放機構付き箱。
【請求項２】
前記外部操作部は、前記閉塞部が有する前記収納部に底面を構成する一対の突き合わせフラップのそれぞれに連設され、該収納部の底面から側面に亘る内面に延在される一対の折り返し片であり、
上記一対の折り返し片の先端側には、把手部が設けられ、
上記一対の折り返し片が上記把手部側から引き上げられたとき、上記突き合わせフラップの突き合わせ部が離間し、前記口部を外部に臨ませることを特徴とする請求項１に記載の閉塞開口部開放機構付き箱。
【請求項３】
前記外部操作部は、前記閉塞部が有する前記収納部の内側底面において、前記開口部を閉塞した状態で突き合わされ又は重ね合わされ、該収納部の底面から側面に亘る内面に延在され、他端部に把手部が設けられた一対の閉塞片であり、
上記一対の閉塞片は、上記把手部側から引き上げられたとき、上記一端部が離間し、前記開口部を開放し、前記口部を外部に臨ませることを特徴とする請求項１に記載の閉塞開口部開放機構付き箱。
【請求項４】
前記外部操作部は、前記閉塞部が有する前記収納部の内側底面において、一端部で前記開口部を閉塞し、該収納部の底面から側面に亘る内面に延在され、他端部に把手部が設けられた閉塞片であり、
上記閉塞片は、上記把手部側から引き上げられたとき、前記開口部に対してずれて、前記口部を外部に臨ませることを特徴とする請求項１に記載の閉塞開口部開放機構付き箱。
【請求項５】
前記外部操作部は、前記閉塞部が備える前記開口部を閉塞するキャップと、該キャップを離脱可能に係合させて前記開口部を閉塞した状態に保持可能なキャップ止め片とであることを特徴とする請求項１に記載の閉塞開口部開放機構付き箱。
【請求項６】
前記キャップは、前記底面の外面に係止される外フランジと、
前記キャップ止め片の先端部に形成されたキャップ係合部が係合される係合部とを有することを特徴とする請求項５に記載の閉塞開口部開放機構付き箱。
【請求項７】
前記キャップは、該キャップに設けられた前記外フランジと前記係合部との間に形成され、前記底面の内面に係止される内フランジを有することを特徴とする請求項６に記載の閉塞開口部開放機構付き箱。
【請求項８】
前記収納物は、流動体を収容する容器であることを特徴とする請求項１乃至７の何れかに記載の閉塞開口部開放機構付き箱。
【請求項９】
前記口部は、前記容器の本体から凸設されたネック部の先端に設けられ、
前記開口部の開放時には、該開口部から上記ネック部が自動的に外部に降出するように構成されることを特徴とする請求項１乃至８の何れかに記載の閉塞開口部開放機構付き箱。
【発明の詳細な説明】
【技術分野】
【０００１】
本発明は、重量物、特にミネラルウォータ、ジュースといった飲料等の流体を収納する流体容器を収納する閉塞開口部開放機構付き箱に関する。
【背景技術】
【０００２】
給液装置の一種であるウォータサーバには、水を貯留する流体容器が、サーバ本体の下側に設けられた容器装着部に収納されるものがある。この種のサーバ本体は、流体容器が容器装着部に収納されると、容器装着部より上側にある内蔵タンクにポンプ等で汲み上げられ、内蔵タンクに汲み上げられた水が吐水孔より吐水される。
【０００３】
流体容器は、一般に、段ボール等によって組み立てられた箱に収納されて運搬され、サーバ本体の下側の容器装着部に、収納部から取り出された状態で、又は、収納部に収納されたままの状態で配設される。サーバ本体の下側の容器装着部に設けられるサーバコネクタが容器装着部の天面に設けられている場合、流体容器のネック部を上側にして、サーバコネクタとネック部とが接続される。また、サーバコネクタが容器装着部の底面に設けられている場合、流体容器のネック部を逆さにし、即ち下側にして、サーバコネクタとネック部とが接続される。
【０００４】
一般に、流体容器は、ネック部を上側にして、箱に収納された状態で出荷され搬送される。したがって、サーバコネクタがサーバ本体の容器装着部の天面に設けられている場合には、そのまま、容器装着部に、箱から取り出された流体容器又は箱に収納された流体容器を装着することが出来る。容器装着部に流体容器を装着した後、流体容器のネック部とサーバコネクタとは接続される。
【０００５】
一方で、サーバコネクタがサーバ本体の容器装着部の底面に設けられている場合には、箱から流体容器を取り出して、ネック部を下側にするように逆さにしてから容器装着部に流体容器を装着することになる。
【０００６】
箱に流体容器が上向きに収納され、サーバ本体の容器装着部の天面にサーバコネクタが設けられている場合には、流体容器を容器装着部に装着する際に、流体容器を持ち上げ逆さにする必要がないことから便利である。しかしながら、流体容器を流体装着部に装着した後に、サーバコネクタとネック部の注水口とを接続する作業（例えばホースやアダプタを接続する作業）が別途必要となり、その作業が面倒である。
【０００７】
一方で、サーバ本体の容器装着部の底面にサーバコネクタが設けられている場合には、ネック部を下向きにした流体容器を、容器装着部に装着しただけで、流体容器の重さを利用して、サーバコネクタとを接続することが出来る。即ち、流体容器を容器装着部に装着しただけで自ずとネック部とサーバコネクタとが接続されることになり、流体容器の接続作業が簡便である。しかしながら、箱に上向きに収納されているとき流体容器を、ネック部が下を向くように逆さにする作業が必要となり、その作業が面倒である。満水の流体容器を逆さにする作業は、健常者にとっても重量によっては容易な作業ではなく、力の弱い者にとってはより一層大変な作業となる。
【先行技術文献】
【特許文献】
【０００８】
【特許文献１】登録実用新案第３１２０５６２号公報
【特許文献２】特開平７−３１５４３６号公報
【発明の概要】
【発明が解決しようとする課題】
【０００９】
本発明は、以上のような課題に鑑みてなされたものであり、流体容器を下向きに収納し、流体容器をサーバ本体のサーバコネクタが底面に設けられた容器装着部に容易に装着することが出来る閉塞開口部開放機構付き箱を提供することを目的とする。
【課題を解決するための手段】
【００１０】
本発明に係る閉塞開口部開放機構付き箱は、口部を有する収納物を収納する収納部と、上記収納物を上記収納部に収納した状態で上記口部を外部に臨ませ得る開口部と、上記開口部を、外部からの操作によって開放可能に閉塞する閉塞部とを備える。上記開口部を下に向けた状態で、上記閉塞部に対する外部からの操作によって、該開口部を開放し得、上記開口部の開放時には該開口部から上記口部が自動的に外部に臨むように構成される。前記閉塞部は、前記収納部と別体で構成しても良い。また、前記収納物は、流動体を収容する容器とすることが出来る。
【００１１】
例えば、前記口部は、前記容器の本体から凸設されたネック部の先端に設けられ、前記開口部の開放時には、該開口部から上記ネック部が自動的に外部に降出するように構成される。この場合、前記閉塞部は、前記開口部を下に向けた際の前記収納部の底面又は底面側に外付けされ、該収納部の該底面より降出した前記ネック部が係合される係合支持部を有するようにしても良い。
【００１２】
また、前記閉塞部は、足掛部を設けるようにしても良い。
【００１３】
また、前記収納部内には、前記口部の周囲を支持する容器支持部を設けるようにしても良い。
【００１４】
前記収納部は、前記開口部を下に向けた状態で前記閉塞部上に積み上げ状態とし、該閉塞部と連結し粘着テープ等で固定し一体化するようにして良い。また、前記閉塞部は、前記開口部を下に向けた際の前記収納部の底面側に嵌合されるようにして一体化しても良い。また、前記閉塞部は、前記開口部を下に向けた際に、該閉塞部の上面に、前記収納部の底面側が嵌合されるようにしても良い。更に、前記閉塞部は、前記収納部内に設けるようにしても良い。
【００１５】
また、前記閉塞部は、前記収納部に底面を構成する一対の突き合わせフラップのそれぞれに連設され、該収納部の底面から側面に亘る内面に延在される一対の折り返し片を有するようにし、上記一対の折り返し片の先端側に、把手部を設け、上記一対の折り返し片が上記把手部側から引き上げられたとき、上記突き合わせフラップの突き合わせ部が離間し、前記口部を外部に臨ませるようにしても良い。更に、また、前記収納部内には、前記口部の周囲を支持する容器支持部を設けるようにしても良い。なお、フラップに形成された把手部とは、手指等を掛けて把持し易くするものであれば良く、その形態は特に限定されないが、従来公知の予め開口させた形態やハーフカット、ミシン目等によって開口させ易く形成された形態、或いは、別部材等を接着や組込等の手段によってフラップに組み付けることで手指を引っ掛けることが出来るように段状に設けられた形態であってもよい。また、フラップ先端を折り返したり、別部材等を貼り合わせるなどすることで、把手部を補強するように構成することも可能である。
【００１６】
更に、前記収納部には、底面に前記口部を外部に臨ませる開口部を設け、前記閉塞部には、前記収納部の内側底面において、一端部が前記開口部を閉塞した状態で突き合わされ又は重ね合わされ、該収納部の底面から側面に亘る内面に延在され、他端部に把手部が設けられた一対の閉塞片を設け、上記一対の閉塞片は、上記把手部側から引き上げられたとき、上記一端部が離間し、前記開口部を開放し、前記口部を外部に臨ませるようにしても良い。
【００１７】
更に、前記収納部には、前記開口部を下に向けた際の該収納部の底面に前記口部を外部に臨ませ得る開口部を設け、前記閉塞部には、前記収納部の内側底面において、一端部で前記開口部を閉塞し、該収納部の底面から側面に亘る内面に延在され、他端部に把手部が設けられた閉塞片を設け、上記閉塞片は、上記把手部側から引き上げられたとき、前記開口部に対してずれて、前記口部を外部に臨ませるようにしても良い。なお、閉塞片に形成された把手部とは、手指等を掛けて把持し易くするものであれば良く、その形態は特に限定されないが、従来公知の予め開口させた形態やハーフカット、ミシン目等によって開口させ易く形成された形態、或いは、別部材等を接着や組込等の手段によってフラップに組み付けることで手指を引っ掛けることが出来るように段状に設けられた形態であってもよい。
【００１８】
更に、前記収納部には、前記開口部を下に向けた際の該収納部の底面に、前記口部を外部に臨ませ得る開口部を設け、前記閉塞部は、前記開口部を閉塞するキャップと、該キャップを離脱可能に係合させて前記開口部を閉塞した状態に保持可能なキャップ止めとを有するようにしても良い。具体的に、前記キャップは、前記底面の外面に係止される外フランジと、前記キャップ止め片の先端部に形成されたキャップ係合部が係合される係合部とを有するように構成することが出来る。前記キャップは、更に、該キャップに設けられた前記外フランジと前記係合部との間に形成され、前記底面の内面に係止される内フランジを有するようにしても良い。
【発明の効果】
【００１９】
本発明によれば、収納部に、口部を有する収納物を給液装置等のコネクタが上方に向けて設けられた容器装着部等に対して容易に装着することが出来る。この際、収納部の開口部を下に向けた状態で、閉塞部に対する外部からの操作によって、開口部を開放し、開口部の開放時には開口部から口部が自動的に外部に臨むようにすることが出来るので装着作業を一層容易なものとすることが出来る。このように、給液装置の下側に設けられた容器装着部の底面にコネクタが設けられている場合、ユーザは、流体容器を上下反転させる作業をすることなく、そのまま容器装着部に装着することが出来る。そして、例えば、満水の流体容器の重さを利用して、給液装置と自動的に接続することが出来る。
【００２０】
流体容器のネック部を収納部の底面より降出する場合、閉塞部は、収納部の底面又は底面側に外付けされ、収納部の底面より突出したネック部が係合される係合支持部が設けられ、これにより、流体容器を安定支持することが出来る。また、閉塞部には、足掛部挿入口を設けることで、閉塞部を踏み付けることが出来、閉塞部から収納部を容易に取り外すことが出来る。
【００２１】
更に、上記閉塞部は、上記収納部に底面を構成する一対の突き合わせフラップのそれぞれに連設され、上記収納部の底面から側面に亘る内面に延在される一対の折り返し片を設けるようにしたときには、収納部と閉塞部とをワンピースで構成することが出来、製造コストの削減及び製造工程の簡素化を実現することが出来る。
【００２２】
閉塞部は、収納部の内側底面において、一端部が前記開口部を閉塞した状態で突き合わされ又は重ね合わされ、収納部の底面から側面に亘る内面に延在され、他端部に把手部が設けられた一対の閉塞片を設けるようにしたときには、一対の閉塞片を、把手部側から引き上げる作業を容易に行うことが出来る。また、閉塞部は、収納部の内側底面において、一端部で前記開口部を閉塞し、収納部の底面から側面に亘る内面に延在され、他端部に把手部が設けられた閉塞片を設けるようにしたときには、閉塞片を、把手部側から引き上げる作業を容易に行うことが出来る。更に、閉塞部は、開口部を閉塞するキャップで構成することで、収納容器の先端部を保護することが出来る。
【図面の簡単な説明】
【００２３】
【図１】本発明が適用された箱の斜視図である。
【図２】流体容器を収納する収納部の展開図である。
【図３】（Ａ）は、箱を構成する収納部と閉塞部との関係を示す斜視図であり、（Ｂ）は、閉塞部の展開図である。
【図４】（Ａ）は、収納部と閉塞部を粘着テープで一体化した例を示す斜視図であり、（Ｂ）は収納部に設けられた覆い部に閉塞部を嵌合して一体化される例を示す斜視図であり、（Ｃ）は、閉塞部に設けられた覆い部に収納部の底面を嵌合して一体化される例を示す斜視図である。
【図５】閉塞部の変形例１を示し、（Ａ）は斜視図、（Ｂ）は展開図である。
【図６】閉塞部の変形例１の更なる変形例を示し、（Ａ）は斜視図、（Ｂ）は展開図である。
【図７】閉塞部の変形例２の更なる変形例を示し、（Ａ）は斜視図、（Ｂ）は展開図である。
【図８】閉塞部の変形例３の更なる変形例を示す斜視図である。
【図９】収納部と閉塞部とがワンピースで構成された箱の斜視図である。
【図１０】（Ａ）は、図９のＸ−Ｘ断面図、（Ｂ）は図9のＹ−Ｙ断面図である。
【図１１】図９に示す箱の展開図である。
【図１２】（Ａ）は、閉塞片を用いて開口部を閉塞した例の断面図であり、（Ｂ）は、その変形例の断面図である。
【図１３】逆テーパを有する凹凸で閉塞片を結合した例を示す要部平面図である。
【図１４】天面側のフラップに把手部を設けた図１の変形例を示す斜視図である。
【図１５】本発明の更なる変形例の箱を示す斜視図である
【図１６】図１５に示す箱の天面外フラップが開放された状態を示す斜視図である。
【図１７】図１５に示す箱を底面側から見た斜視図である。
【図１８】流体容器を収納した状態の断面図である。
【図１９Ａ】図１５に示す箱の展開図である。
【図１９Ｂ】キャップ止め片の平面図である。
【図２０】開封機構の離断部を引きはがしている状態を示す斜視図である。
【図２１】（Ａ）は開封機構の斜視図であり、（Ｂ）は（Ａ）の拡大図である。
【図２２】（Ａ）〜（Ｄ）は開封機構の変形例を示す平面図である。
【図２３】キャップとキャップ止め片とが係合した状態を示す斜視図である。
【図２４】（Ａ）はキャップの斜視図であり、（Ｂ）は平面図であり、（Ｃ）は側面図である。
【図２５】（Ａ）は、箱底面の開口部にキャップを取り付ける状態の断面図である。（Ｂ）は、箱底面の開口部にキャップを取り付けた状態の断面図である。
【図２６】展開された箱にキャップ止め片を重ねた状態を示す平面図である。
【図２７】キャップの変形例を示し、（Ａ）は斜視図、（Ｂ）は断面図である。
【図２８】キャップの更なる変形例を示し、（Ａ）は、上側から見た斜視図、（Ｂ）は下側から見た斜視図、（Ｃ）は断面図である。
【図２９】箱からキャップ止め片を引き抜く状態を示す斜視図である。
【図３０】箱の天面が開放された状態を示す斜視図である。
【図３１】箱からキャップ止め片を引き抜く状態を示す斜視図である。
【図３２】図３１の続きの斜視図である。
【図３３】箱をウォータサーバに移動ときの状態を示す斜視図である。
【図３４】（Ａ）は、流体容器を収納した箱を持ち上げる前の状態を示し、（Ｂ）は、持ち上げ開始時を示し、（Ｃ）は、持ち上げ後を示す模式図である。
【図３５】流体容器を箱ごとウォータサーバの装着部に装着する状態を示す斜視図である。
【図３６】流体容器にソフトボトルを用いたときの箱の断面図である。
【図３７】箱底面の開口部をキャップを用いることなくキャップ止め片で閉塞する変形例を示す斜視図である。
【発明を実施するための形態】
【００２４】
以下、本発明が適用された箱を図面を参照して説明する。本発明が適用された箱に収納される容器は、図１（Ａ）に示すように、例えばミネラルウォータ等の流体を貯留する流体容器１であって、容量が可変しないハード容器であり、又は、容量が可変する容量可変ボトルである。ハード容器の場合、例えばポリエチレンテレフタレート（ＰＥＴ）等の合成樹脂材料でブロー成形等によって成形されている。また、容量可変型の容器の場合、例えばポリプロピレン、ポリエチレン、ポリアミド（ナイロン）等の合成樹脂材料でブロー成形や製袋加工等によって成形可能である。ハード容器、容量可変型の容器の何れの場合であっても、６リットルや１２リットル等の大きな容量を有している。また、この流体容器１は、先端に口部となる注水口３が形成されたネック部２が設けられており、キャップ４で閉塞されている。このキャップ４は、ポリプロピレン、ポリエチレン等の合成樹脂を成形してなり、内周面にアンダーカットのキャップ溝が形成され、ネック部２の先端外周面に形成されたアンダーカットのキャップ溝に圧入嵌合をされている。なお、キャップ４は、密封された状態から手を加えられたことが明確に分かるようにした周知のタンパエビデンス構造を有していても良い。
【００２５】
＜収納部と閉塞部とが別体の具体例＞
このような流体容器１を収納する箱１０は、図１及び図２に示すように、流体容器１を下向きに収納し、底面にネック部２を外部に臨ませる開口部１５を有する収納部１１と、ネック部２を外部に臨ませる開口部１５を閉塞する閉塞部２１とを有する。収納部１１と閉塞部２１とは、一体であっても別体であっても良いが、ここでは、先ず別体の例を説明する。
【００２６】
収納部１１は、段ボールや厚紙を折曲してなる六面体であり、ワンピースで構成される。即ち、収納部１１は、図２に示すように、前面１１ａ，一側面１１ｂ，背面１１ｃ，他側面１１ｄとが折曲線１２に沿って一連に連結されている。更に、他側面１１ｄには、更に、折曲線１２に沿って継ぎしろ１４が形成されている。また、前面１１ａ，一側面１１ｂ，背面１１ｃ，他側面１１ｄには、天面を構成するための、フラップ１３ａ，１３ｂ，１３ｃ，１３ｄが折曲線１２に沿って連結されている。なお、収納部１１の全体構造としては、六面体に限定されるものではなく、また、ツーピース以上で構成されるものであっても良い。
【００２７】
また、底面側には、開口部１５が設けられると共に、下向きに収納する流体容器１のネック部２の周囲を支持する容器支持部１６〜１９が設けられている。各容器支持部１６〜１９は、台形状の底面１６ａ〜１９ａと、内側面１６ｂ〜１９ｂと、ネック部２の周囲を支持する支持面１６ｃ〜１９ｃと、外側面１６ｄ〜１９ｄと、先端部１６ｅ〜１９ｅとが折曲線１２を介して設けられている。底面１６ａ〜１９ａを除く、内側面１６ｂ〜１９ｂ、支持面１６ｃ〜１９ｃ、外側面１６ｄ〜１９ｄ、及び、先端部１６ｅ〜１９ｅは、底面１６ａ〜１９ａより幅狭に形成され、ネック部２を係合保持する開口部１５を形成するようにしている。なお、先端部１６ｅ〜１９ｅの形状は、三角形状の他に、矩形形状であっても良い。
【００２８】
以上のような収納部１１を組み立てるには、図１及び図２に示すように、先ず、継ぎしろ１４を前面１１ａに接着剤、粘着テープ、封緘材等で結合して環状とした後、フラップ１３ａ，１３ｂ，１３ｃ，１３ｄを折曲線１２に沿って内側に折り込み、次いで、相対するフラップを突き合わせた後、接着剤、粘着テープ、封緘材等で結合し天面を構成する。流体容器１を収納するには、天面を組み立てた後、この天面を底面のようにして、開放側から流体容器１を、容器の底面が収納部１１の天面に支持されるように収納する。
【００２９】
この後、前面１１ａ，一側面１１ｂ，背面１１ｃ，他側面１１ｄに対して、底面１６ａ〜１９ａを折曲線１２に沿って略９０°内側に折り返し、更に、底面１６ａ〜１９ａに対して内側面１６ｂ〜１９ｂを折曲線１２に沿って略９０°内側に折り返し、更に、内側面１６ｂ〜１９ｂに対して支持面１６ｃ〜１９ｃを折曲線１２に沿って略９０°内側に折り返し、更に、支持面１６ｃ〜１９ｃに対して外側面１６ｄ〜１９ｄを折曲線１２に沿って略９０°内側に折り返し、更に、外側面１６ｄ〜１９ｄに対して先端部１６ｅ〜１９ｅを折曲線１２に沿って略９０°内側に折り返す。これにより、開口部１５の周囲に略箱状の容器支持部１６〜１９が構成される。収納部１１を容器支持部１６〜１９が下側となる姿勢としたときには、開口部１５に、流体容器１のネック部２が係合され、更に、ネック部２の周囲が容器支持部１６〜１９に支持されることになる。
【００３０】
開口部１５の深さは、ネック部２の先端が収納部１１の内側に位置するような寸法であっても良いが、ここでは、サーバ本体の容器装着部の底面に設けられたサーバコネクタに容易に接続出来るように、ネック部２の先端が外側に突出する寸法となっている。ネック部２の先端が露出する開口部１５は、収納部１１の底面側に配設される閉塞部２１に閉塞されることになる。なお、ネック部２の先端が開口部１５より突出しないときには、開口部１５をフィルム等のシート材で閉塞するようにし、これを閉塞部としても良い。
【００３１】
収納部１１を閉塞する閉塞部２１は、図３（Ａ）及び（Ｂ）に示すように、矩形の段ボールや厚紙を折曲してなり、矩形状の底面２２ａと、底面２２ａの両側に折曲線２３に沿って設けられる外側面２２ｂ，２２ｃと、外側面２２ｂ，２２ｃの両側に折曲線２３に沿って設けられる天面２２ｄ，２２ｅと、天面２２ｄ，２２ｅの両側に折曲線２３に沿って設けられる内側面２２ｆ，２２ｇと、内側面２２ｆ，２２ｇの両側に折曲線２３に沿って設けられる先端部２２ｈ，２２ｉとを有している。
【００３２】
このような閉塞部２１は、底面２２ａに対して折曲線２３に沿って略垂直に外側面２２ｂ，２２ｃを略９０°内側に折り込み、次いで、外側面２２ｂ，２２ｃに対して折曲線２３に沿って略９０°天面２２ｄ，２２ｅを折り込み、更に、天面２２ｄ，２２ｅに対して折曲線２３に沿って略９０°内側面２２ｆ，２２ｇを内側に折り込み、最後に、先端部２２ｈ，２２ｉを内側面２２ｆ，２２ｇに対して略９０°外側に折り込み、先端部２２ｈ，２２ｉを底面２２ａ上で突き当てる。先端部２２ｈ，２２ｉは、底面２２ａ上で突き当てられることで、閉塞部２１の収納部１１を支持する天面には、前面及び背面の幅方向中央領域において凹溝が構成される。この凹溝は、収納部１１の底面の開口部１５から外部に臨まされたネック部２が係合される係合支持部２４となる。即ち、この閉塞部２１の天面全体は、収納部１１の底面と同じ形状及び同じ大きさに形成され、収納部１１が積み上げられたとき、係合支持部２４の両側が支持面２４ａ，２４ａとなって収納部１１を支持することになる。勿論、閉塞部２１の天面全体は、収納部１１を安定支持出来るのであれば、若干、収納部１１の底面と形状や大きさが異なっていても良い。
【００３３】
また、閉塞部２１は、折り返された先端部２２ｈ，２２ｉが底面２２ａ上で突き合わされることで、支持面２４ａ，２４ａに収納部１１の荷重が加わったときにも、一方の先端部２２ｈが他方の先端部２２ｉの側にずれ込むことが無くなり、また、先端部２２ｉが先端部２２ｈの方にずれ込むことを防止することが出来る。これにより、外側面２２ｂ，２２ｃや内側面２２ｆ，２２ｇは、底面２２ａに対して垂直な状態が維持され、大きな荷重も支持面２４ａ，２４ａで支持出来るようになる。
【００３４】
係合支持部２４を構成する凹溝の幅方向両側には、支持面２４ａ，２４ａを含む断面矩形状の筒状部が設けられ、前面と背面に貫通した開口部が足掛部２５，２５となる。足掛部２５，２５には、収納部１１から閉塞部２１を取り外すときに、ユーザがつま先が足掛部２５，２５の何れかに挿入され、底面２２ａを踏み付けることで、収納部１１は、持ち上げたときに一緒に閉塞部２１が持ち上がってしまうことを防止することが出来、閉塞部２１から容易に取り外すことが出来る。
【００３５】
閉塞部２１が取り外されると、収納部１１の底面の開口部１５からは、下向きに収納された流体容器１のネック部２が外部に臨まされる。ウォータサーバのサーバ本体の下側に設けられた容器装着部には、底面にサーバコネクタが設けられている。したがって、ユーザは、流体容器１を上下反転させる作業をすることなく、そのまま容器装着部に装着することが出来る。そして、例えば、満水の流体容器１の重さを利用して、サーバコネクタと自動的に接続することが出来る。
【００３６】
なお、係合支持部２４となる溝の幅Ｗをキャップ４の直径Ｒと略同じにして、キャップ４やネック部２を係合支持部２４に係合させて、ネック部２と係合支持部２４との係合力で閉塞部２１を収納部１１に一体化しても良いが、更に、次のようにしても良い。即ち、閉塞部２１の天面全体が収納部１１の底面と同じ形状及び同じ大きさの場合には、収納部１１の側面と閉塞部２１の外側面とが連続し面一となることから、粘着テープ、封緘材等を用いて閉塞部２１上に収納部１１を連結するようにしても良い。図４（Ａ）は、収納部１１と閉塞部２１とを、粘着テープ２５ａで一体化した例を示す。この例において、足掛部２５，２５が全て隠れない程度で、粘着テープ２５ａを前面にも貼着しても良い。そして、粘着テープ２５ａを剥がすことで、収納部１１と閉塞部２１とを分離することが出来る。また、収納部１１と閉塞部２１とが一連のとき、収納部１１と閉塞部２１との境界部にミシン目等を設けて、ミシン目から収納部１１と閉塞部２１とが分離されるようにしても良い。
【００３７】
また、図４（Ｂ）に示すように、収納部１１の底面側の周囲に、閉塞部２１が挿入又は嵌合される覆い部２６を設けるようにしても良い。この場合、覆い部２６は、収納部１１の底面側の周囲に、段ボールや厚紙等が粘着テープ、封緘材等の固定手段２６ａによって貼り付けられることにスカート状に構成される。覆い部２６は、少なくとも、足掛部２５，２５のある前面又は背面の何れかを外部に露出出来るように、丈が短くなっている。閉塞部２１は、覆い部２６の内側に嵌合されるようにして、収納部１１の底面側に配設され、これにより、収納部１１の底面と一体化される。勿論、収納部と覆い部２６との接着強度より低い強度の接着剤や粘着テープを用いて覆い部２６の内側と閉塞部２１と一体化しても良い。これにより、閉塞部２１が収納部１１の底面から落下することを防止することが出来る。この場合、閉塞部２１は、覆い部２６から露出したユーザがつま先を足掛部２５，２５に挿入して、収納部１１の底面から取り外すことが出来る。
【００３８】
また、図４（Ｃ）に示すように、閉塞部２１の周囲に、収納部１１の底面側が挿入される覆い部２７を設けるようにしても良い。この場合、覆い部２７は、収納部１１の底面側の周囲に、段ボールや厚紙等が粘着テープ、封緘材等の固定手段２７ａによって貼り付けられることによって囲い壁状に構成される。収納部１１の底面側は、閉塞部２１の覆い部２７の内側に嵌合されるようにして、閉塞部２１の天面に配設され、これにより、閉塞部２１と一体化される。勿論、収納部と覆い部２６との接着強度より低い強度の接着剤や粘着テープを用いて覆い部２７の内側と閉塞部２１と一体化しても良い。これにより、閉塞部２１が収納部１１の底面から落下することを防止することが出来る。また、覆い部２７は、開口部２７ａが設けられ、この開口部２７ａから足掛部２５，２５が臨まされ、ユーザがつま先を挿入出来るようになっている。この場合、閉塞部２１は、ユーザがつま先を足掛部２５，２５に挿入して、収納部１１の底面から取り外すことが出来る。
【００３９】
＜閉塞部の変形例１＞
閉塞部２１は、図５（Ａ）及び（Ｂ）に示すように構成することも出来る。即ち、変形例である閉塞部３１は、中央部に矩形状の底面３２ａと、底面３２ａに折曲線３３に沿って設けられる前面３２ｂと、底面３２ａに折曲線３３に沿って設けられる外側面３２ｃ，３２ｄと、底面３２ａに折曲線３３に沿って設けられる背面３２ｅとを備える。前面３２ｂ，背面３２ｅの何れかでも良いが、ここでは、前面３２ｂと背面３２ｅに、足掛部３４が設けられている。更に、前面３２ｂ、外側面３２ｃ，３２ｄ及び背面３２ｅには、それぞれ折曲線３３に沿って、台形状をなす天面３２ｆ，３２ｇ，３２ｈ，３２ｉが設けられている。更に、天面３２ｆ，３２ｇ，３２ｈ，３２ｉには、それぞれ折曲線３３に沿って、内側面３５ａ，３５ｂ，３５ｃ，３５ｄが設けられている。更に、内側面３５ａ，３５ｂ，３５ｃ，３５ｄには、それぞれ折曲線３３に沿って、三角形状をなす先端部３５ｅ，３５ｆ，３５ｇ，３５ｈが設けられている。
【００４０】
このような閉塞部３１は、底面３２ａに対して折曲線３３に沿って略垂直に前面３２ｂ、外側面３２ｃ，３２ｄ及び背面３２ｅを略９０°内側に折り込み、次いで、前面３２ｂ、外側面３２ｃ，３２ｄ及び背面３２ｅに対して折曲線３３に沿って天面３２ｆ，３２ｇ，３２ｈ，３２ｉを略９０°内側に折り込み、更に、天面３２ｆ，３２ｇ，３２ｈ，３２ｉに対して折曲線３３に沿って略９０°内側面３５ａ，３５ｂ，３５ｃ，３５ｄを内側に折り込み、更に、内側面３５ａ，３５ｂ，３５ｃ，３５ｄに対して折曲線３３に沿って略９０°先端部３５ｅ，３５ｆ，３５ｇ，３５ｈを内側又は外側に折り込む。これにより、閉塞部３１の天面中央部には、内側面３５ａ，３５ｂ，３５ｃ，３５ｄに囲まれた矩形凹状の係合支持部３６が形成される。矩形凹状の係合支持部３６には、収納部１１の底面の開口部１５から外部に臨まされたネック部２が係合される。この閉塞部３１の天面全体は、収納部１１の底面と同じ形状及び同じ大きさに形成され、収納部１１が積み上げられたとき、係合支持部３６の周囲が支持面３２ｆ，３２ｇ，３２ｈ，３２ｉとなって収納部１１を支持することになる。勿論、閉塞部２１の天面全体は、収納部１１を安定支持出来るのであれば、若干、収納部１１の底面と形状や大きさが異なっていても良い。また、閉塞部３１は、前面３２ｂ、外側面３２ｃ，３２ｄ及び背面３２ｅと内側面３５ａ，３５ｂ，３５ｃ，３５ｄとが折り返された垂直壁となることで、支持面３２ｆ，３２ｇ，３２ｈ，３２ｉで満水の流体容器１が収納された収納部１１の荷重を十分に支持することが出来る。
【００４１】
また、閉塞部３１には、前面３２ｂと背面３２ｅの開口部が足掛部３４，３４となる。足掛部３４，３４には、収納部１１から閉塞部３１を取り外すときに、ユーザのつま先が足掛部３４，３４の何れか又は両方に挿入されることで、収納部１１は、持ち上げたときに一緒に閉塞部３１が持ち上がってしまうことを防止することが出来、閉塞部３１から容易に取り外すことが出来る。
【００４２】
なお、閉塞部３１の変形例として、図６（Ａ）及び（Ｂ）に示すように、足掛部３４，３４を一連に形成し、一つとしても良い。
【００４３】
＜閉塞部の変形例２＞
更に、閉塞部は、図７（Ａ）及び（Ｂ）に示すように構成することも出来る。即ち、変形例となる閉塞部４１は、矩形の段ボールや厚紙を折曲してなり、矩形状の底面４２ａと、底面４２ａの両側に折曲線４３に沿って設けられる外側面４２ｂ，４２ｃと、側面４２ｂ，４２ｃの両側に折曲線４３に沿って設けられる天面４２ｄ，４２ｅと、天面４２ｄ，４２ｅの両側に折曲線４３に沿って設けられる内側面４２ｆ，４２ｇと、内側面４２ｆ，４２ｇの両側に折曲線４３に沿って設けられる先端部４２ｈ，４２ｉとを有している。
【００４４】
このような閉塞部４１は、底面４２ａに対して折曲線４３に沿って略９０°外側面４２ｂ，４２ｃを内側に折り込み、次いで、外側面４２ｂ，４２ｃに対して折曲線４３に沿って略９０°天面４２ｄ，４２ｅを折り込み、更に、天面４２ｄ，４２ｅに対して折曲線４３に沿って略９０°内側面４２ｆ，２２ｇを内側に折り込み、先端部４２ｈ，４２ｉを内側面４２ｆ，４２ｇに対して略９０°内側に折り込み、内側面４２ｆ，２２ｇ同士を突き当てる。これにより、閉塞部４１の天面には、中央部に矩形凹状の係合支持部４４が形成される。係合支持部４４は、収納部１１の底面の開口部１５から外部に臨まされたネック部２が係合される。係合支持部４４は、内側面４２ｆ，２２ｇの幅方向中央の開口４４ａとこの開口４４ａと連続した天面４２ｄ，４２ｅの三角状の開口４４ｂとによって、内側面４２ｆ，２２ｇ同士が突き合わされ、天面４２ｄ，４２ｅが面一になることによって矩形凹状に構成される。この閉塞部４１の天面全体は、収納部１１の底面と同じ形状及び同じ大きさに形成され、収納部１１が積み上げられたとき、係合支持部４４の周囲が支持面４２ｄ，４２ｅとなって収納部１１を支持することになる。勿論、閉塞部４１の天面全体は、収納部１１を安定支持出来るのであれば、若干、収納部１１の底面と形状や大きさが異なっていても良い。
【００４５】
また、閉塞部４１は、折り返された内側面４２ｆ，２２ｇが底面４２ａ上で突き合わされることで、支持面４２ｄ，４２ｅに収納部１１の荷重が加わったときにも、外側面４２ｂ，４２ｃや内側面４２ｆ，４２ｇは、底面４２ａに対して垂直な状態が維持され、大きな荷重も支持面４２ｄ，４２ｅで支持出来るようになる。
【００４６】
係合支持部４４の幅方向両側には、断面矩形状の筒状部が設けられ、前面と背面の開口部が足掛部４５，４５となる。足掛部４５，４５には、収納部１１から閉塞部４１を取り外すときに、ユーザがつま先が足掛部４５，４５の何れか又は両方に挿入されることで、収納部１１は、持ち上げたときに一緒に閉塞部４１が持ち上がってしまうことを防止することが出来、閉塞部４１から容易に取り外すことが出来る。
【００４７】
＜閉塞部の変形例３＞
更に、閉塞部は、図８のように構成することも出来る。この閉塞部５１は、収納部１１の底面の開口部１５から外部に臨まされたネック部２が係合される係合支持部５２を構成する筒状体５２ａを有する。この筒状体５２ａは、例えばモールド成形された樹脂材料や段ボールや厚紙等により構成することが出来る。筒状体５２ａの両端部は、開口部５２ｂ，５２ｂとなり、開口部５２ｂ，５２ｂが係合支持部５２となり、ネック部２が係合される。筒状体５２ａの両端には、矩形状の基板５３，５３が設けられている。基板５３，５３も、例えばモールド成形された樹脂材料や段ボールや厚紙等により構成することが出来る。基板５３，５３は、中央部で開口部５２ｂ，５２ｂを外部に臨ませる。筒状体５２ａに対して張り出した基板５３，５３は、載置面側が足踏み部５４となる。なお、基板５３，５３の形状は、筒状体５２ａの直径より大きければ、円形、楕円形、三角形、五角形以上の多角形等であっても良い。
【００４８】
このような閉塞部５１は、上側の基板５３に、収納部１１が積み上げられる。この際、係合支持部５２となる開口部５２ｂには、収納部１１の底面の開口部１５から外部に臨まされたネック部２が係合される。この閉塞部５１は、上側の基板５３で収納部１１を受け、更に、筒状体５２ａで荷重を支持することが出来る。収納部１１と閉塞部５１とは、粘着テープ、封緘材等を用いて連結するようにしても良いし、また、図４（Ｂ）及び（Ｃ）に示すように、覆い部２６，２７を用いて一体化するようにしても良い。また、足掛部となる足踏み部５４は、収納部１１から閉塞部５１を取り外すときに、ユーザによって踏み付けられることで、収納部１１は、持ち上げたときに一緒に閉塞部５１が持ち上がってしまうことを防止することが出来、閉塞部５１から容易に取り外すことが出来る。
【００４９】
＜収納部と閉塞部とが一体の具体例＞
図９〜図１１に示す箱６１は、収納部６２と閉塞部６３とが一体で、ワンピースで構成される。即ち、この箱６１は、図１１に示すように、前面６２ａ，一側面６２ｂ，背面６２ｃ，他側面６２ｄとが折曲線６４に沿って一連に連結されている。更に、他側面６２ｄには、更に、折曲線６４に沿って継ぎしろ６５が形成されている。また、前面６２ａ，一側面６２ｂ，背面６２ｃ，他側面６２ｄには、天面を構成するための、フラップ６６ａ，６６ｂ，６６ｃ，６６ｄが折曲線６４に沿って連結されている。
【００５０】
また、底面側には、図９並びに図１０（Ａ）及び（Ｂ）に示すように、相対する一側面６２ｂ，他側面６２ｄに、下向きに収納する流体容器１のネック部２の周囲を支持する容器支持部６７，６８が設けられている。各容器支持部６７，６８は、図１１に示すように、相対する一側面６２ｂ，他側面６２ｄに、底面６７ａ，６８ａと、内側面６７ｂ，６７ｂと、ネック部２の周囲を支持する支持面６７ｃ，６８ｃと、外側面６７ｄ，６７ｄと、先端部６７ｅ，６７ｅとが折曲線６４を介して設けられている。
【００５１】
更に、底面側には、図９並びに図１０（Ａ）及び（Ｂ）に示すように、相対する前面６２ａ，背面６２ｃに、箱６１の底面において先端が突き合わされる底面部７１ａ，７２ａと、底面部７１ａ，７２ａの先端から前面６２ａ，背面６２ｃの方向に折曲線６９，６９に沿って折り返される第一折り返し片７１ｂ，７２ｂと、第一折り返し片７１ｂ，７２ｂに対して前面６２ａ，背面６２ｃの内面に延在するように折曲線６９に沿って折り返される第二折り返し片７１ｃ，７２ｃと、第二折り返し片７１ｃ，７２ｃに折曲線６９を介して連設される把手片７１ｄ，７２ｄとが連設されている。底面部７１ａ，７２ａ及び第一折り返し片７１ｂ，７２ｂは、箱６１の底面の幅Ｗの１／２Ｗの長さを有し、第二折り返し片７１ｃ，７２ｃの長さＬは、前面６２ａ，背面６２ｃの高さＨと略同じとなっている。したがって、第一折り返し片７１ｂ，７２ｂは、底面部７１ａ，７２ａの内側に重なるように延在され、第二折り返し片７１ｃ，７２ｃは、前面６２ａ，背面６２ｃの内面に重なるように延在される。そして、把手片７１ｄ，７２ｄは、箱６１の天面側の開口から延出する。把手片７１ｄ，７２ｄは、開口で構成された把手部７１ｅ，７２ｅが形成されている。把手片７１ｄ，７２ｄは、フラップ６６ａ，６６ｃの内側に延在され、天面の幅Ｗより短い長さで、ユーザが把手可能な大きさの把手部７１ｅ，７２ｅを形成できる長さであれば特に限定されるものではなく、例えば、１／２Ｗであっても良いし、それ以下であっても良い。
【００５２】
以上のような箱６１を組み立てるには、相対する一側面６２ｂ，他側面６２ｄに対して底面６７ａ，６８ａを折曲線６４に沿って略９０°内側に折り返し、更に、底面６７ａ，６８ａに対して内側面６７ｂ，６８ｂを折曲線６４に沿って略９０°内側に折り返し、更に、内側面６７ｂ，６８ｂに対して支持面６７ｃ，６８ｃを折曲線６４に沿って略９０°内側に折り返し、更に、支持面６７ｃ，６８ｃに対して外側面６７ｄ，６８ｄを折曲線６４に沿って略９０°内側に折り返し、更に、外側面６７ｄ，６８ｄに対して先端部６７ｅ，６８ｅを折曲線６４に沿って略９０°内側に折り返す。これにより、箱６１の底面には、略箱状の容器支持部６７，６８が構成される。容器支持部６７，６８には、の間には、凹溝状の開口部が設けられる。この開口部は、流体容器１のネック部２が係合される係合支持部７３となる部分である。
【００５３】
また、相対する前面６２ａ，背面６２ｃに対して底面部７１ａ，７２ａを折曲線６４に沿って略９０°内側に折り返し、更に、第一折り返し片７１ｂ，７２ｂを底面部７１ａ，７２ａに延在するように略１８０°内側に折り返し、更に、第二折り返し片７１ｃ，７２ｃを第一折り返し片７１ｂ，７２ｂに対して前面６２ａ，背面６２ｃの内面に重なるように略９０°折り返す。この後、継ぎしろ６５を前面６２ａに接着剤、粘着テープ、封緘材等で結合して環状とする。これにより、箱６１の内部の底面側には、図９に示すように、一側面６２ｂと他側面６２ｄの内側に容器支持部６７，６８が設けられ、容器支持部６７，６８の間には、凹溝状の係合支持部ともなる開口部７３が構成される。更に、容器支持部６７，６８の外側には、前面６２ａ，背面６２ｃから連接される底面部７１ａ，７２ａと第二折り返し片７１ｃ，７２ｃとが重畳された状態で延在され、更に、前面６２ａ，背面６２ｃの内面に、第二折り返し片７１ｃ，７２ｃが延在される。更に、天面からは、把手片７１ｄ，７２ｄが延出される。底面部７１ａ，７２ａと第一折り返し片７１ｃ，７２ｃとの折り返し部分は、突き合わせ部７４となり、凹溝状の係合支持部７３を閉塞する閉塞部となり、凹溝状の係合支持部７３に係合された流体容器１のネック部２が外部に露出しないようにする。突き合わせ部７４は、粘着テープ、封緘材等で結合し、箱６１の底面の強度を高めるようにする。流体容器１は、ネック部２を挿入端として、ネック部２の周囲が容器支持部６７，６８に支持されるように挿入される。
【００５４】
流体容器１を挿入した後、箱６１の天面側は、把手片７１ｄ，７２ｄを折曲線６４に沿って内側に折曲し、把手片７１ｄ，７２ｄの上側にフラップ６６ａ，６６ｂ，６６ｃ，６６ｄを折曲線１２に沿って内側に折り込み、次いで、相対するフラップを突き合わせた後、接着剤、粘着テープ、封緘材等で結合する。
【００５５】
以上のように箱６１に収納された流体容器１をウォータサーバのサーバ本体の容器装着部に装着するときには、先ず、フラップ６６ａ，６６ｂ，６６ｃ，６６ｄを開き、把手片７１ｄ，７２ｄを露出させる。次いで、図１０（Ａ）及び（Ｂ）に示すように、把手片７１ｄ，７２ｄの把手部７１ｅ，７２ｅを握って、矢印Ｄ１方向に引っ張る。すると、把手片７１ｄ，７２ｄと連続した第二折り返し片７１ｃ，７２ｃ、第一折り返し片７１ｂ，７２ｂ、底面部７１ａ，７２ａが同方向に引っ張られ、接着剤、粘着テープ、封緘材等を破断して、突き合わせ部７４が開く。これにより、開口部７３からは、容器支持部６７，６８に支持された流体容器１のネック部２の先端が露出される。ウォータサーバのサーバ本体の下側に設けられた容器装着部には、底面にサーバコネクタが設けられている。したがって、ユーザは、流体容器１を上下反転させる作業をすることなく、そのまま、即ち把手部７１ｅ，７２ｅを握って箱６１を移動させて容器装着部に装着することが出来る。そして、例えば、満水の流体容器１の重さを利用して、サーバコネクタと自動的に接続することが出来る。
【００５６】
なお、突き合わせ部７４を結合する粘着テープ、封緘材等の強度を調整することで、把手部７１ｅ，７２ｅを握って箱６１を移動出来るようにしても良い。また、容器支持部６７，６８は、別部材で構成して、収納部６２の底面に配設するようにしても良い。
【００５７】
以上のような箱６１は、流体容器１を収納する収納部と閉塞部とがワンピースで構成されることから、部品点数の削減をすることが出来る。
【００５８】
＜その他の例１＞
更に、図１２（Ａ）に示す外箱となる箱８１は、底面に、流体容器１のネック部２を外部に臨ませる開口部８２が形成されている。また、内部には、底面側に、ネック部２の周囲を支持する容器支持部８３，８３が設けられている。なお、この容器支持部８３，８３は、箱８１と一体でも良いし、別体でも良い。容器支持部８３，８３は、箱８１と別部材とするときには、例えば、容器支持部８３，８３を、段ボールや厚紙を折曲して筒状にし、これを、箱内に配設して構成することが出来る。そして、箱８１には、相対する側面及び底面の内面に沿うように、開口部８２を閉塞する閉塞片８４，８４が配設される。閉塞片８４，８４は、例えば、開口部８２の位置において、先端部が突き合わされ、この突き合わせ部８６は、接着剤、粘着テープ、封緘材等で結合される。これにより、開口部８２は、突き合わせ部８６が設けられることで、一対の閉塞片８４，８４によって閉塞される。閉塞片８４，８４の他端は、開口部で構成された把手部８５，８５が形成されている。
【００５９】
この場合、閉塞片８４，８４の把手部８５，８５を握って、図１２（Ａ）中矢印Ｄ１方向に引っ張る。すると、閉塞片８４，８４の先端部は、互いに離間する矢印Ｄ２方向に引っ張られ、接着剤、粘着テープ、封緘材等を破断して、突き合わせ部８６が開く。これにより、開口部８２からは、容器支持部８３，８３に支持された流体容器１のネック部２の先端が露出される。ウォータサーバのサーバ本体の下側に設けられた容器装着部には、底面にサーバコネクタが設けられている。したがって、ユーザは、流体容器１を上下反転させる作業をすることなく、そのまま容器装着部に装着することが出来る。そして、例えば、満水の流体容器１の重さを利用して、サーバコネクタと自動的に接続することが出来る。なお、突き合わせ部８６の位置は、必ずしも開口部８２上にある必要なく、開口部８２に対してズレた位置にあっても良い。
【００６０】
なお、図１２（Ｂ）に示すように、閉塞片８４，８４の先端部は、開口部８２上において、重なる様にして開口部８２を閉塞するようにしても良い。更に、図１３に示すように、突き合わせ部８６は、接着剤、粘着テープ、封緘材等で結合するのではなく、一方の閉塞片８４の先端に、逆テーパを有する凸部８７ａを形成し、他方の閉塞片８４の先端に、逆テーパを有する凹部８７ｂを形成し、凸部８７ａと凹部８７ｂとを係合させて結合するようにしても良い。この場合、閉塞片８４，８４の先端部は、互いに離間する矢印Ｄ２方向に引っ張られると、凸部８７ａと凹部８７ｂが変形して係合した状態が外れることになる。
【００６１】
＜その他の例２＞
ところで、満水の流体容器１は重く、従って、サーバ本体の容器装着部に装着する際に、箱を移動する作業も出来るだけ行い易くする必要がある。そこで、図１４に示すように構成して満水の収納容器１を収納した箱を移動し易くすることも出来る。なお、図１４は、図１の変形例である。即ち、前面１１ａと背面１１ｃに連設されるフラップ１３ａ，１３ｃ又は一側面１１ｂと側面１１ｄに連設されるフラップ１３ｂ，１３ｄに、開口部で構成された把手部９２，９２を形成してもよい。このような箱１１では、移動させる際に、把手部９２，９２に手を掛ければ良いことから、容易にウォータサーバまで移動させることが出来る。即ち、把手部９２，９２が形成されたフラップ１３ａ，１３ｃ又は１３ｂ，１３ｄが箱１０の天面より上に引き出されることから、ユーザは、腰を屈める角度を少なくすることが出来、力の弱い者も容易に箱１０を移動させることが出来るようになる。また、把手部９２，９２を持って収納部１１から引き上げることで、閉塞部２１を収納部１１から容易に分離させることが出来る。
【００６２】
＜箱のその他の変形例＞
また、図１５〜図１８に示すように、本発明の第三実施形態となる箱１００は、流体容器１を下向きに収納し得、流体容器１を下向きにした際の底面にネック部２を外部に臨ませる開口部１０５を有する収納部１０１と、ネック部２を外部に臨ませる開口部１０５を閉塞する閉塞部となるキャップ１２１とを有する。
【００６３】
収納部１０１は、図１９Ａに示すように、段ボールや厚紙を折曲してなる六面体であり、ワンピースで構成される。即ち、箱１００は、前面１０１ａ，一側面１０１ｂ，背面１０１ｃ，他側面１０１ｄとが折曲線１０２を介して一連に連結されている。更に、前面１０１ａ，一側面１０１ｂ，背面１０１ｃ，他側面１０１ｄには、箱１００の底面を構成するための、底面外フラップ１０３ａ，１０３ｃと底面内フラップ１０３ｂ，１０３ｄが折曲線１０２を介して連結されている。底面内フラップ１０３ｂ，１０３ｄは、一側面１０１ｂ，１０１ｄに形成され、突き合わせフラップとなっている。また、底面外フラップ１０３ａ，１０３ｃは、前面１０１ａ、背面１０１ｃに形成され、底面外フラップ１０３ａが底面のほぼ全体を覆う大きさとなっている。
【００６４】
また、前面１０１ａ，一側面１０１ｂ，背面１０１ｃ，他側面１０１ｄには、天面１０１ｅを構成するための、天面外フラップ１０４ａ，１０４ｃと天面内フラップ１０４ｂ，１０４ｄが折曲線１０２を介して連結されている。天面内フラップ１０４ｂ，１０４ｄは、一側面１０１ｂ，１０１ｄに形成され、突き合わせフラップとなっている。また、天面外フラップ１０４ａ，１０４ｃは、前面１０１ａ，背面１０１ｃに形成され、それぞれが天面のほぼ全体を覆う大きさとなっている。
【００６５】
更に、一側面１０１ｂには、継ぎしろ１０６が形成されている。
【００６６】
先ず、底面１０１ｆから説明すると、図１７及び図１９Ａに示すように、底面内フラップ１０３ｂ，１０３ｄは、収納部１０１の底面１０１ｆの長さＬ１の１／２の長さを有しており、その先端部の幅方向ほぼ中央には、底面の開口部１０５を構成するための半円状の内側半開口１０５ａ，１０５ａが形成され、また、底面外フラップ１０３ａには、外側開口１０５ｂが形成されている。図１８に示すように、底面内フラップ１０３ｂ，１０３ｄと底面外フラップ１０３ａとが折り畳まれ重なったとき、突き合わされ円形となった内側半開口１０５ａ，１０５ａと外側開口１０５ｂとは一致し、貫通した開口部１０５を構成し、流体容器１のネック部２やキャップ４が係合し得るようにする。また、底面内フラップ１０３ｂ，１０３ｄの先端部には、図１９Ａに示すように、内側半開口１０５ａ，１０５ａの両側に、互いに係合する第一底面側凹凸部１０８ａ，１０８ｂが形成されている。第一底面側凹凸部１０８ａ，１０８ｂは、底面内フラップ１０３ｂ，１０３ｄが畳まれ先端部が突き合わされたとき、互いに係合することで、収納部１０１の第一底面側凹凸部１０８ａ，１０８ｂが延在する前面１０１ａから背面１０１ｃに亘る方向（図１７中矢印Ｄ１方向）の変形を防止する。
【００６７】
また、外側開口１０５ｂが形成された底面外フラップ１０３ａは、図１７及び図１９Ａに示すように、底面１０１ｆのほぼ全体を覆う大きさとなっており、底面外フラップ１０３ｃは、相対的に、底面外フラップ１０３ａより短いものとなっている。底面外フラップ１０３ａ，１０３ｃの先端部にも、互いに係合する第二底面側凹凸部１０９ａ，１０９ｂが形成されている。第二底面側凹凸部１０９ａ，１０９ｂは、底面外フラップ１０３ａ，１０３ｃが畳まれ先端部が突き合わされたとき、互いに係合することで、収納部１０１の第二底面側凹凸部１０９ａ，１０９ｂが延在する他側面１０１ｄに亘る方向（図１７中矢印Ｄ２方向）の変形を防止する。
【００６８】
次に、天面１０１ｅを説明すると、図１５、図１６及び図１９Ａに示すように、天面内フラップ１０４ｂ，１０４ｄは、収納部１０１の天面の長さＬ１の１／２の長さを有している。また、天面内フラップ１０４ｂ，１０４ｄの先端部には、互いに係合する天面側凹凸部１１１，１１１が形成されている。天面側凹凸部１１１，１１１は、天面内フラップ１０４ｂ，１０４ｄが畳まれ先端部が突き合わされたとき、互いに係合することで、収納部１０１の天面側凹凸部１１１，１１１が延在する前面１０１ａから背面１０１ｃに亘る方向（図１７中矢印Ｄ１方向）の変形を防止する。
【００６９】
また、天面外フラップ１０４ａ，１０４ｃは、図１６及び図１９Ａに示すように、それぞれが天面１０１ｅのほぼ全体を覆う大きさとなっている。天面外フラップ１０４ａ，１０４ｃには、開口部で構成された把手部１０７，１０７が形成されている。把手部１０７，１０７は、Ｕ字状の切り込み１０７ａ，１０７ａを形成し、切り込み１０７ａ，１０７ａによって構成された舌片１０７ｂ，１０７ｂを指先等で内側に押し込むことによって把手部が形成される構成となっている。
【００７０】
図２０及び図２１に示すように、背面１０１ｃに形成された天面外フラップ１０４ａには、天面１０１ｅを開封する開封機構１１２が設けられている。開封機構１１２は、図１９Ａ及び図２１に示すように、天面１０１ｅを開閉する開閉部１１２ａと、天面外フラップ１０４ａの先端側に形成され相対する天面外フラップ１０４ｃに固定される固定部１１２ｂと、開閉部１１２ａに形成される係合部１１２ｃと、固定部１１２ｂに形成され係合部１１２ｃと係合する被係合部１１２ｄと、開閉部１１２ａと固定部１１２ｂとの間を連結する離断部１１２ｅとを有する。
【００７１】
開閉部１１２ａは、天面外フラップ１０４ａの先端部の固定部１１２ｂを除く部分となり、固定部１１２ｂは、天面外フラップ１０４ａの先端部の両端を除く部分に矩形状に形成されている。この固定部１１２ｂは、両辺に切り込み１１２ｆを形成し、開閉部１１２ａと分離することによって構成され、接着剤等の固定手段によって、天面外フラップ１０４ｃの基端側に固定される。従って、天面外フラップ１０４ａの先端部には、固定部１１２ｂが形成された分、Ｕ字状の凹部１１２ｇが形成されることになる。開閉部１１２ａの切り込み１１２ｆによって形成された両辺は、係合部１１２ｃ，１１２ｃとなり、相対する固定部１１２ｂの被係合部１１２ｄ，１１２ｄと係合する。ここでは、係合部１１２ｃと被係合部１１２ｄは、傾斜辺となっており、一方が凸部、他方が凹部となるように切り込み１１２ｆを入れることによって形成される。固定部１１２ｂと固定部１１２ｂによって開閉部１１２の先端部に設けられた凹部１１２ｇの底部との間には、ミシン目やハーフカットによって離断部１１２ｅが形成されている。離断部１１２ｅの一端部には、切除開始時にユーザが指を挿入する挿入口１１２ｈが形成されている。離断部１１２ｅは、長尺をなし、例えば箱１００の材料の撓み特性を利用して、図２０に示すように、撓ませながらミシン目やハーフカットに沿って引っ張られることで開閉部１２１ａと固定部１２１ｂとを離断することが出来る。これにより、開閉部１１２ａと固定部１１２ｂとを分離し、開閉部１１２ａを開閉出来る。
【００７２】
即ち、この箱１００は、タンパエビデンス構造を有することになり、ユーザの手元に届いたとき、切除部１１２ｅを切除することで開封することが出来る。ユーザは、離断部１１２ｄを切除することで、図１６に示すように、天面外フラップ１０４ａ，１０４ｃと天面内フラップ１０４ｂ，１０４ｄを折曲線１０２に沿って開くことが出来る。そして、ユーザは、天面外フラップ１０４ａ，１０４ｃの把手部１０７，１０７を持って箱１００を運ぶことが出来る。また、この箱１００は、ウォータサーバの装着部にそのまま装着することが出来る。この際、天面内フラップ１０４ｂ，１０４ｄを折曲線１０２に沿って閉じ、次いで、天面外フラップ１０４ａ，１０４ｃを閉じる。この際、開封機構１１２の係合部１１２ｃと被係合部１１２ｄとを係合させることで、離断部１１２ｄが無い状態であっても、天面外フラップ１０４ａを天面１０１ｅを閉じた状態に維持することが出来る。
【００７３】
なお、開封機構１１２は、図２２（Ａ）〜（Ｄ）等のように構成することも出来る。図２２（Ａ）では、上述のように、固定部１１２ｂと凹部１１２ｇの形状が台形状をなし、斜線の脚の部分に構成された凹凸で係合部１１２ｃと被係合部１１２ｄを形成するようにしている。また、図２２（Ｂ）に示すように、開封機構１１２は、係合部１１２ｃと被係合部１１２ｄの部分を、Ｃ字状又は逆Ｃ字状に形成することによって、凹凸を構成しても良い。更に、図２２（Ｃ）に示すように、係合部１１２ｃと被係合部１１２ｄの部分を、ジグザグ状にして凹凸を形成するようにしても良い。更に、図２２（Ｄ）の開封機構１１２では、外側に位置する天面外フラップ１０４ａの離断部１１２ｄにより切除された後の凸部が係合部１１２ｃとなる。また、固定部１１２ｂは、天面外フラップ１０４ａの内側に位置する天面外フラップ１０４ｃと一体的となり、固定部１１２ｂと一体的な天面外フラップ１０４ｃに、天面外フラップ１０４ａの離断部１１２ｄが切除されて形成された凸部状の係合部１１２ｃが挿入される被係合部１１２ｄとなるスリットが形成されている。図２２（Ｄ）の例においても、離断部１１２ｄが切除された後に、凸部状の係合部１１２ｃをスリット状の被係合部１１２ｄに挿入することで、離断部１１２ｄが無い状態であっても、天面外フラップ１０４ａを天面１０１ｅを閉じた状態に維持することが出来る。
【００７４】
上述した収納部１０１の底面に設けられた開口部１０５は、図１９Ｂ及び図２３に示すように、キャップ１２１によって閉塞されている。このキャップ１２１は、キャップ止め片１２２に係止されている。このキャップ止め片１２２は、収納部１０１の底面１０１ｆから背面１０１ｃに亘る内面に延在されるように長尺に形成され、先端部がキャップ１２１に係合されている。このキャップ止め片１２２は、先端部がＵ字状に形成され、キャップ１２１が係合される係合凹部１２３となっている。このキャップ止め片１２２は、底面１０１ｆから背面１０１ｃに亘って沿うように配置されるものであるので、収納部１０１の底面１０１ｆと背面１０１ｃとが成すコーナ部近傍では、ほぼ９０°のコーナ部に倣って折曲するように、長手方向に対して直交する互いに平行な折り目線１２４が形成されている。キャップ止め片１２２の基端部は、収納部１０１の天面１０１ｅより露出し、露出する部分に、開口部で構成された把手部１２５が形成されている。キャップ止め片１２２は、ユーザが把手部１２５を持って引き抜くことで、係合凹部１２３がキャップ１２１と係合した状態を解除することが出来る。図１８に示すように、把手部１２５が形成されたキャップ止め片１２２の基端部は、天面１０１ｅにおいて、天面外フラップ１０４ｃと天面内フラップ１０４ｂ，１０４ｄとの間に延在され、天面外フラップ１０４ａ，１０４ｃが開かれたときに露出し、収納部１０１の内部から引き出すことが出来る。
【００７５】
開口部１０５を閉塞するキャップ１２１は、図２４（Ａ）〜（Ｃ）及び図２５（Ａ），（Ｂ）に示すように、開口部１０５に嵌合する横断面が円形の嵌合部１３１と、底面外フラップ１０３ａの開口部１０５の周辺の外面に当接する外フランジ１３２と、嵌合部１３１の外周部に形成されキャップ止め片１２２の係合凹部１２３が係合する係合溝１３３と、係合溝１３３と連続しキャップ止め片１２２の係合凹部１２３の周辺の内面に係合する内フランジ１３４と、底面外フラップ１０３ａの外側開口１０５ｂの周辺の内面に係合する中フランジ１３５と、キャップ１２１の裏面に形成されネック部２の先端部を支持するネック支持部１３６とを有する。
【００７６】
ここで、嵌合部１３１は、その直径Ｄ１が開口部１０５を構成する外側開口１０５ｂの直径とほぼ同じ径であり、外側開口１０５ｂと嵌合する。外フランジ１３２は、嵌合部１３１が収納部１０１の内部に入り込むことを防止するため、嵌合部１３１の直径Ｄ１より大きい直径Ｄ２を有し、底面外フラップ１０３ａの外側開口１０５ｂの周辺の外面に当接する。底面外フラップ１０３ａの外側開口１０５ｂの周辺の内面は、中フランジ１３５と係合する。中フランジ１３５は、係合凹部１２３の挿入側とは反対側に形成されており、底面外フラップ１０３ａの開口部１０５の周辺の内面と係合する。即ち、底面外フラップ１０３ａの外側開口１０５ｂの周辺は、外フランジ１３２と中フランジ１３５とで構成される溝に係合される。
【００７７】
係合溝１３３は、嵌合部１３１より小径に形成され、キャップ止め片１２２の係合凹部１２３が係合する。キャップ止め片１２２の係合凹部１２３は、嵌合部１３１と係合溝１３３の底面との成す段差部１３７と内フランジ１３４との間で上下方向が規制される。内フランジ１３４は、係合凹部１２３の挿入側に形成されている。
【００７８】
底面内フラップ１０３ｂ，１０３ｄを突き合わせ構成される円形の内側開口１０５ａ，１０５ａの直径Ｄ３は、外側開口１０５ｂより大径に形成されており、更に、内フランジ１３４の先端と中フランジ１３５の先端とを合わせた直径Ｄ４より大径に形成されている。従って、底面内フラップ１０３ｂ，１０３ｄの内側開口１０５ａ，１０５ａは、内フランジ１３４や中フランジ１３５とは係合しない。キャップ１２１は、嵌合部１３１が外側開口１０５ｂに嵌合し、キャップ止め片１２２の係合凹部１２３が係合溝１３３に係合し嵌合部１３１と係合溝１３３の底面との成す段差部１３７と内フランジ１３４との間で上下方向が規制されることで、開口部１０５を閉塞した状態が保持される。
【００７９】
キャップ１２１の裏面に形成されたネック支持部１３６は、逆さ向きの流体容器１のネック部２の先端部が当接され、運搬時等に直接ネック部の先端部が地面等に接することを防止し、衛生状態を維持する。
【００８０】
図２６に示すように、キャップ１２１は、箱１００が展開された状態で取り付けられる。図２５（Ａ）に示すように、キャップ１２１を開口部１０５に装着するには、底面外フラップ１０３ａの外面側から外フランジ１３２と中フランジ１３５とで構成される溝を挿入端として、外側開口１０５ｂに挿入し（図２５（Ａ）中矢印Ａ方向）、次いで、外側開口１０５ｂの開口端に突き当てられた部分を回動支点として図２５（Ａ）中矢印Ｂ方向に回動し、キャップ１２１の嵌合部１３１を外側開口１０５ｂに嵌合する。この後、図２６に示すように、キャップ止め片１２２は、箱１００が展開された状態において、底面外フラップ１０３ａ，前面１０１ａ，天面外フラップ１０４ａの内面に重ね合わされる。そして、キャップ１２１の係合溝１３３にキャップ止め片１２２の係合凹部１２３が係合される。箱１００が組み立てられた後において、キャップ止め片１２２が引き抜かれると、係合凹部１２３がキャップ１２１の係合溝１３３から外れることで、キャップ１２１が開口部１０５から外れる。キャップ１２１には、収納物である流体容器１のネック部２によって流体容器１の重さが加わっている。従って、箱１００が持ち上げられたときには、最初、箱１００のみが持ち上がり、流体容器１の重さでキャップ１２１が開口部１０５から外れる。その後、収納物の流体容器１は、ネック部２の周囲が箱１００の底面１０１ｆに支持され、箱１００によって持ち上げられる。
【００８１】
なお、キャップ１２１は、図２７（Ａ）及び（Ｂ）に示すような構成のものであっても良い。このキャップ１４１は、底面外フラップ１０３ａの外側開口１０５ｂの周辺の外面に当接する外フランジ１４２と、外フランジ１４２の内面に環状に立設された複数の立ち上がり片１４３と、各立ち上がり片１４３の先端部に外側に向かって突設された内フランジと１４４と、立ち上がり片１４３の間に形成された位置決め凸部１４５と、環状に立設された複数の立ち上がり片１４３の内側にあってネック部２の先端部を支持するネック支持部１４６とを有する。
【００８２】
外フランジ１４２は、その直径Ｄ２がキャップ１４１が全体が収納部１０１の内部に入り込むことを防止するため、開口部１０５を構成する外側開口１０５ｂの直径Ｄ１より大きい直径を有し、底面外フラップ１０３ａの外側開口１０５ｂの周辺の外面に当接する。外フランジ１４２の内面に立設された複数の立ち上がり片１４３は、環状を構成し、その環状部の直径Ｄ５は、外側開口１０５ｂの直径Ｄ１より小径に形成され、立ち上がり片１４３によって構成された環状部が外側開口１０５ｂに挿入可能になっている。立ち上がり片１４３の先端部は、外側に向かって内フランジ１４４が形成されている。外フランジ１４２上には、外側開口１０５ｂに立ち上がり片１４３が挿入されると、底面外フラップ１０３ａの外側開口１０５ｂの周辺の外面が当接する。更に、底面外フラップ１０３ａの上は、キャップ止め片１２２が延在され、係合凹部１２３が環状に立設された立ち上がり片１４３の外周部に係合される。即ち、底面外フラップ１０３ａの外側開口１０５ｂの開口端と立ち上がり片１４３の係合凹部１２３は、外フランジ１４２と内フランジ１４４との間の係合溝１４８に係合されることになる。なお、外フランジ１４２には、各立ち上がり片１４３の外側の根本に内フランジ１４４を成形するための抜き孔１４７が形成されている。
【００８３】
立ち上がり片１４３の間に形成された位置決め凸部１４５は、外面が底面外フラップ１０３ａの外側開口１０５ｂの開口端（内側面）に当接し、外側開口１０５ｂにおけるキャップ１４１の位置決めを行う。従って、位置決め凸部１４５の高さは、外フランジ１４２の厚さより低く形成されている。
【００８４】
キャップ１４１の裏面に形成されたネック支持部１４６は、逆さ向きの流体容器１のネック部２の先端部が当接され、運搬時等に直接ネック部２の先端部が地面等に接することを防止し、衛生状態を維持する。
【００８５】
このようなキャップ１４１においても、上述したキャップ１２１と同様、図２６に示すように、箱１００が展開された状態で取り付けられる。具体的に、キャップ１４１を開口部１０５に装着するには、底面外フラップ１０３ａの外面側から外フランジ１４２と内フランジ１４４とで構成される溝を挿入端として、外側開口１０５ｂに挿入し、外側開口１０５ｂの開口端と係合溝１４８を係合させて、更に、位置決め凸部１４５を当接させて、外側開口１０５ｂにおいてキャップ１４１を位置決めする。この後、図２６に示すように、キャップ止め片１２２は、箱１００が展開された状態において、底面外フラップ１０３ａ、前面１０１ａ，天面外フラップ１０４ａの内面に重ね合わされる。そして、キャップ１２１の係合溝１４８にキャップ止め片１２２の係合凹部１２３が係合される。箱１００が組み立てられた後において、キャップ止め片１２２が引き抜かれると、係合凹部１２３がキャップ１２１の係合溝１４８から外れることで、キャップ１２１が開口部１０５から外れるようになる。キャップ１４１には、収納物である流体容器１のネック部２によって流体容器１の重さが加わっている。従って、箱１００が持ち上げられたときには、最初、箱１００のみが持ち上がり、流体容器１の重さでキャップ１４１が開口部１０５から外れる。その後、収納物の流体容器１は、ネック部２の周囲が箱１００の底面１０１ｆに支持され、箱１００によって持ち上げられる。
【００８６】
また、キャップ１２１は、図２８（Ａ）〜（Ｃ）に示すように構成することも出来る。このキャップ１５１は、底面外フラップ１０３ａの外側開口１０５ｂの周辺の外面に当接する外フランジ１５２と、底面外フラップ１０３ａの外側開口１０５ｂの周辺の内面に当接する内フランジ１５３と、外フランジ１５２と内フランジ１５３との間に形成される係合溝１５４とを有する。また、外フランジ１５２と内フランジ１５３との間には、外フランジ１５２側から内フランジ１５３側に上昇するテーパ部１５５が形成され、テーパ部１５５が形成された部分は、外フランジ１５２が形成されていない。このキャップ１５１は、収納部１０１の内側に位置する内フランジ１５３が底面外フラップ１０３ａの外側開口１０５ｂからの収納部１０１の外側に抜け落ちることを防止する抜け止めとなる。また、大径の内フランジ１５３は、孔部１５６が形成され、外側開口１０５ｂからキャップ１５１から引き抜く紐１５７が取り付けられている。紐１５７は、キャップ止め片１２２に代わる部材であり、キャップ止め片１２２と同様、紐１５７は、箱１００が展開された状態において、底面外フラップ１０３ａ，前面１０１ａ，天面外フラップ１０４ａの内面に延在される。また、キャップ１５１には、ネック部２の先端部を支持するネック支持部１５８が形成されている。ネック支持部１５８は、内フランジ１５３の中央部分に構成されている。ネック支持部１５８は、逆さ向きの流体容器１のネック部２の先端部が当接され、運搬時等に直接ネック部２の先端部が地面等に接することを防止し、衛生状態を維持する。
【００８７】
このようなキャップ１５１においても、上述したキャップ１２１と同様、箱１００が展開された状態で取り付けられる。具体的に、キャップ１５１を開口部１０５に装着するには、図２８（Ｃ）に示すように、底面外フラップ１０３ａの内面側から係合溝１５４に底面外フラップ１０３ａの外側開口１０５ｂの開口端を係合させてから、外側開口１０５ｂを閉塞するように配置される。箱１００が組み立てられた後において、外側開口１０５ｂは、紐１５７が引っ張られると、テーパ部１５５で外側開口１０５ｂの開口端を乗り上げ開放される。従って、箱１００が持ち上げられたときには、最初、箱１００のみが持ち上がるが、この際、流体容器１の自重で開口部１０５からネック部２が垂出した状態を得ることが出来る。
【００８８】
以上のような箱１００の組立方法について説明する。ここでは、図２４に示したキャップ１２１を用いた場合を説明する。図２６に示すように、箱１００が展開された状態において、底面外フラップ１０３ａの外側開口１０５ｂには、図２５に示すように、キャップ１２１が外フランジ１３２と中フランジ１３５とで構成される溝を挿入端として挿入され、外側開口１０５ｂの開口端を外フランジ１３２と中フランジ１３５とで構成される溝に係合させる。次いで、キャップ１２１の嵌合部１３１を外側開口１０５ｂに嵌合する。この後、図２６に示すように、キャップ止め片１２２は、箱１００が展開された状態において、底面外フラップ１０３ａ，前面１０１ａ，天面外フラップ１０４ａの内面に重ね合わされる。そして、キャップ１２１の係合溝１３３にキャップ止め片１２２の係合凹部１２３が係合される。
【００８９】
キャップ１２１とキャップ止め片１２２が取り付けられると、先ず、図２６に示すように、一側面１０１ｂの継ぎしろ１０６と背面１０１ｃとが接着剤、粘着テープ、封緘材等で結合され環状とされた後、天面内フラップ１０４ｂ，１０４ｄが閉じられ、天面側凹凸部１１１，１１１が係合される。次いで、キャップ止め片１２２の把手部１２５が形成された基端部は、天面内フラップ１０４ｂ，１０４ｄに沿うように内側に折曲され、その上に天面外フラップ１０４ｃが閉じられ、更に、天面外フラップ１０４ａが閉じられる。この際、図２１に示すように、開閉機構１１２の固定部１１２ｂは、接着剤等の固定手段によって、天面外フラップ１０４ｃの基端側に固定される。
【００９０】
次いで、天面１０１ｅ側を下にして、底面１０１ｆ側から流体容器１が収納部１０１に収納される。即ち、流体容器１は、ネック部２を上側にして、収納部１０１に収納される。次いで、底面内フラップ１０３ｂ，１０３ｄが閉じられ、第一底面側凹凸部１０８ａ，１０８ｂが係合される。次いで、底面外フラップ１０３ａ，１０３ｃが閉じられ、第二底面側凹凸部１０９ａ，１０９ｂが係合される。この後、粘着テープ、封緘材等で結合され、底面１０１ｆを構成する。このとき、図２６に示すように、係合凹部１２３がキャップ１２１と係合したキャップ止め片１２２は、収納部１０１の底面１０１ｆから背面１０１ｃに亘る内面に延在される。この際、キャップ止め片１２２は、平行な折り目線１２４が形成されているので、収納部１０１の底面１０１ｆと背面１０１ｃとが成すほぼ９０°のコーナ部に倣って折曲することが出来る。
【００９１】
即ち、この箱１００は、天面１０１ｅ側を下にして組立を開始し、底面１０１ｆが開放された状態で流体容器１の底面を挿入端として流体容器１が収納部１０２に収納される。従って、流体容器１を既存の装置を用いて収納部１０１に挿入することが出来る。そして、この箱１００は、流体容器１が収納されて封がされると、天面１０１ｅ側を下にして輸送される。すなわち、箱１００は、キャップ１２１を上にして輸送され、輸送時の振動等によってキャップ１２１が破損することを防止することが出来る。
【００９２】
また、組み立てられた箱１００は、図１６、図１７、図１９Ａ及び図２９に示すように、底面１０１ｆ側において、第一底面側凹凸部１０８ａ，１０８ｂが互いに係合され、更に、第二底面側凹凸部１０９ａ，１０９ｂが互いに係合される。また、天面１０１ｅにおいても、天面側凹凸部１１１，１１１が互いに係合される。従って、この箱１００は、輸送時において様々な方向から外力が加わったとしても、互いに直交する図１６及び図１７中矢印Ｄ１及びＤ２方向の変形を防止することが出来る。なお、第一底面側凹凸部１０８ａ，１０８ｂ、第二底面側凹凸部１０９ａ，１０９ｂ、天面側凹凸部１１１，１１１は、互いに直交するＤ１方向及びＤ２方向に形成することが良いが、Ｄ１方向、Ｄ２方向の何れか一方に形成するようにしても良い。
【００９３】
箱１００は、ユーザの手元においては、天面１０１ｅを上にし底面１０１ｆを下にした状態で使用するまでの間保管することが好ましい。ユーザの家庭内やオフィス内で箱１００を短い距離を移動する場合には、図２０及び図２１に示すように、天面１０１ｅが上にされ、収納部１０１の底面１０１ｆを下にする、即ち、収納物である流体容器１のネック部２を下向きの状態にする。そして、例えば、玄関から収納位置まで移動する場合や収納位置からウォータサーバの容器装着部に装着する作業を行う場合には、開封機構１１２の離断部１１２ｅをミシン目やハーフカットに沿って引っ張り、開閉部１２１ａと固定部１２１ｂとを離断し、開閉部１１２ａと固定部１１２ｂとを分離する。これにより、図１６及び図２９に示すように、開閉部１１２ａ、即ち天面外フラップ１０４ａを開閉出来るようになる。そして、ユーザは、把手部１０７，１０７をもって箱１００を短い距離移動することが出来る。そして、一時保管するときには、再度、開閉部１１２ａを係合部１１２ｃ，１１２ｃに係合させて天面１０１ｅを一時的に閉塞することが出来る。
【００９４】
ユーザの手元に輸送された箱１００に収納された流体容器１をウォータサーバの容器装着部に装着する際には、図２０及び図２１に示すように、先ず、開閉部１１２ａが係合部１１２ｃ，１１２ｃと係合した状態を解除し、天面１０１ｅを開く。次いで、箱１００の底面１０１ｆのキャップ１２１を外すため、図３０〜図３２に示すように、キャップ止め片１２２は、ユーザが把手部１２５を持って引き抜くことで、係合凹部１２３がキャップ１２１と係合した状態を解除する。キャップ止め片１２２は、ウォータサーバに装着するとき、箱１００から完全に引き抜かれる。
【００９５】
箱１００を開封する作業場所からウォータサーバの装着場所にユーザが移動するときには、図３３に示すように、天面外フラップ１０４ａ，１０４ｃの把手部１０７，１０７を持って流体容器１を箱１００ごと持ち上げる。この際、図３４（Ａ）に示すように、箱１００が床にあるときには、キャップ１２１にネック部２から流体容器１の重さが加わった状態にあり、外側開口１０５ｂを閉塞した状態にある。ユーザによって箱１００が持ち上げられると、最初、図３４（Ｂ）に示すように、箱１００のみが持ち上がり、流体容器１の重さでキャップ１２１が開口部１０５から外れる。その後、図３４（Ｃ）に示すように、収納物の流体容器１は、ネック部２の周囲が箱１００の底面１０１ｆに支持され、箱１００によって持ち上げられる。箱１００は、ウォータサーバ１６０の装着部１６１に装着する作業を行うとき、キャップ１２１が外れることから、底面１０１ｆの外側開口１０５ｂからネック部２及びキャップ４が突出した状態で移動される。
【００９６】
箱１００を短い距離移動させる際に、箱１００は、天面内フラップ１０４ａ，１０４ｃの先端側の把手部１０７，１０７に手を掛ければ良いことから、容易にウォータサーバまで移動させることが出来る。即ち、天面内フラップ１０４ａ，１０４ｃが箱１００の天面１０１ｅより上に引き出されることから、ユーザは、腰を屈める角度を小さくすることが出来、長身の者や力の弱い者も容易に箱１００を移動させることが出来る。
【００９７】
ここで、給液装置となるウォータサーバについて図３５を参照して説明すると、このウォータサーバ１６０は、上側に吐水部が設けられ、下側に、流体容器１を箱１００ごと装着する装着部１６１が設けられている。装着部１６１は、サーバ本体から引き出される。この装着部１６１は、箱１００内の流体容器１のネック部２と接続されるジョイント１６２ａが設けられるジョイント保持部材１６２と、ジョイント保持部材１６２に対して上下する容器保持部材１６３とを備える。
【００９８】
ジョイント保持部材１６２は、中央部にジョイント１６２ａが固定され、ジョイント１６２ａに対して流体容器１を着脱する際等に滴下した水等の流体の受け皿としても機能する。容器保持部材１６３は、流体容器１が箱１００ごと装着される部材であり、箱１００のネック部２が外側開口１０５ｂより突出した底面１０１ｆとほぼ同じ大きさの装着凹部１６４が設けられ、この装着凹部１６４の中央部にジョイント１６２ａ及びネック部２が挿通される挿通孔１６５が設けられている。この容器保持部材１６３は、ジョイント保持部材１６２に対して上下動し、コイルバネ等の付勢部材によって、ジョイント保持部材１６２に対して離間する方向に付勢されている。
【００９９】
図３５に示すように、流体容器１が未装着のとき、容器保持部材１６３は、ジョイント保持部材１６２から付勢部材によって離間、即ち上昇した状態にある。容器保持部材１６３の装着凹部１６４には、容器保持部材１６３が上昇した位置において、箱１００のネック部２が外側開口１０５ｂより突出した底面１０１ｆが装着される。この際、箱１００の底面１０１ｆは、装着凹部１６４の側壁によって挿入がガイドされ位置決めされる。そして、容器保持部材１６３は、箱１００の重さによってジョイント保持部材１６３に近接する方向に降下する。容器保持部材１６３の降下に合わせて、箱１００の底面１０１ｆより突出したネック部２の先端は、挿通孔１６５に更に進入し、ジョイント１６２ａと接続される。これにより、ウォータサーバ１６０には、箱１００に収納された流体容器１からに水等の流体が供給される。
【０１００】
なお、箱１００に収納する流体容器１は、ハード容器で、ネック部２を下向きに置いたとしても、ネック部２が自重で撓まない程度の強度を有するものであっても良いし、図３６に示すように、ソフト容器にして、自重でネック部２が窪むような可撓性を有するものにしても良い。ソフト容器にした場合には、逆さに置かれたとき、ネック部２が内側に凹むことで、相対的に、ネック部２の周辺が突出することになる。ネック部２の周囲の突出部５は、流体容器１が箱１００内に逆さ向きに収納されたときに、底面１０１ｆと突出部５の先端面が近づくことで、流体容器１の箱１００内で流体容器１を支持することが出来、箱１００内の流体容器１の姿勢が一層安定する上、箱１００の底面１０１ｆの中央への応力集中を分散することが出来る。
【０１０１】
更に、以上の箱１００では、底面１０１ｆに形成された開口部１０５をキャップ１２１で閉塞するようにし、閉塞状態を、キャップ１２１をキャップ止め片１２２で保持するようにしたが、ここでは、底面１０１ｆに形成された開口部１０５をキャップ１２１を用いずに、キャップ止め片１２２に代わる閉塞片１７１のみで閉塞する場合を図３７を参照して説明する。
【０１０２】
この箱１７０に用いられる閉塞片１７１は、収納部１０１の底面１０１ｆから背面１０１ｃに亘る内面に延在されるように長尺に形成され、先端部１７４で底面１０１ｆの開口部１０５の外側開口１０５ｂを閉塞する。この閉塞片１７１は、底面１０１ｆから背面１０１ｃに亘って沿うように配置されるので、収納部１０１の底面１０１ｆと背面１０１ｃとが成すコーナ部近傍では、ほぼ９０°のコーナ部に倣って折曲するように、長手方向に対して直交する折り目線１７２が形成されている。閉塞片１７１の基端部は、収納部１０１の天面１０１ｅより露出し、露出する部分に、把手部１７３が形成されている。閉塞片１７１は、ユーザが把手部１７３を持って引き抜くことで、開口部１０５を開放する。把手部１７３が形成された閉塞片１７１の基端部は、天面１０１ｅにおいて、天面外フラップ１０４ｃと天面内フラップ１０４ｂ，１０４ｄとの間に延在され、天面外フラップ１０４ａ，１０４ｃが開かれたときに露出し、収納部１０１の内部から引き出すことが出来る。
【０１０３】
以上のような箱１７０は、開口部１０５を閉塞するのに、キャップ１２１を用いず、閉塞片１７１の先端部１７４を用いて閉塞するようにしたので、キャップ１２１を用いない分、部品点数の削減を図ることができ、製造工程の簡素化することが出来ると共に、製造コストの削減を実現することが出来る。
【０１０４】
なお、流体容器に貯留する流体としては、水、ミネラルウォータ等の他、に、ジュース、コーヒー、紅茶、スープ等の流体であっても良い。また、箱に収納する物としては、流体容器に限定されるものではない。
【符号の説明】
【０１０５】
１  流体容器、２  ネック部、３  注水口、４  キャップ、１０  箱、１１  収納部、１１ａ  前面、１１ａ，  前面、１１ｂ  一側面、１１ｃ  背面、１１ｄ  他側面、１２  折曲線、１３ａ〜１３ｄ  フラップ、１４  継ぎしろ、１５  開口部、１６〜１９  容器支持部、１６〜１９  容器支持部、１６ａ〜１９ａ  底面、１６ｂ〜１９ｂ  内側面、１６ｃ〜１９ｃ  支持面、１６ｄ〜１９ｄ  外側面、１６ｅ〜１９ｅ  先端部、２１  閉塞部、２２ａ  底面、２２ｂ，２２ｃ  外側面、２２ｄ，２２ｅ  天面、２２ｆ，２２ｇ  内側面、２２ｈ，２２ｉ  先端部、２３  折曲線、２４  係合支持部、２４ａ  支持面、２５  足掛部、２６，２７  覆い部、２７ａ  開口部、３１  閉塞部、３２ａ  底面、３２ｂ  前面、３２ｃ，３２ｄ  外側面、３２ｅ  背面、３２ｆ〜３２ｉ  天面（支持面）、３３  折曲線、３４  足掛部、３５ａ〜３５ｄ  内側面、３５ｅ〜３５ｈ  先端部、３６  係合支持部、４１  閉塞部、４２ａ  底面、４２ｂ，４２ｃ  外側面、４２ｄ，４２ｅ  天面（支持面）、４２ｆ，４２ｇ  内側面、４２ｈ，４２ｉ  先端部、４３  折曲線
、４４  係合支持部、４４ａ，４４ｂ  開口、４５  足掛部、５１  閉塞部、５２  係合支持部、５２ａ  筒状体、５２ｂ  開口部、５３  基板、５４  足踏み部、６１  箱、６２  収納部、６２ａ  前面、６２ｂ  一側面、６２ｃ  背面、６２ｄ  他側面、６３  閉塞部、６４  折曲線、６６ａ〜６６ｄ  フラップ、６７，６８  容器支持部、６７ａ，６８ａ  底面、６７ｂ，６７ｂ  内側面、６７ｃ，６８ｃ  支持面、６７ｄ，６８ｄ  外側面、６７ｅ，６８ｅ  先端部、６９  折曲線、７１ａ，７２ａ  底面部、７１ｂ，７２ｂ  第一折り返し片、１ｃ，７２ｃ  第二折り返し片片、７１ｄ，７２ｄ  把手片、７１ｅ，７２ｅ  把手口、７３  係合支持部（開口部）、７４  突き合わせ部、８１  箱、８２  開口部、８３  容器支持部、８４  閉塞片、８４  閉塞片、８５  把手口、８６  突き合わせ部、８７ａ  凸部、８７ｂ  凹部、９２  把手口、１００  箱、１０１  収納部、１０１ａ  前面、１０１ｂ  一側面、１０１ｃ  背面、１０１ｄ  他側面、１０１ｅ  天面、１０１ｆ  底面、１０２  折曲線、１０３ａ  底面外フラップ、１０３ｂ  底面内フラップ、１０３ｃ  底面外フラップ、１０４ａ  天面外フラップ、１０４ｂ  天面内フラップ、１０４ｃ  天面外フラップ、１０５  開口部、１０５ａ  内側半開口、１０５ｂ  外側開口、１０７  把手部、１０７ｂ  舌片、１０８ａ，１０８ｂ  第一底面側凹凸部、１０９ａ，１０９ｂ  第二底面側凹凸部、１１１  天面側凹凸部、１１２  開封機構、１１２ａ  開閉部、１１２ｂ  固定部、１１２ｃ  係合部、１１２ｄ  被係合部、１１２ｅ  離断部、１１２ｇ  凹部、１１２ｈ  挿入口、１２１  キャップ、１２１ａ  開閉部、１２１ｂ  固定部、１２２  キャップ止め片、１２３  係合凹部、１２４  折り目線、１２５  把手部、１３１  嵌合部、１３２  外フランジ、１３３  係合溝、１３４  内フランジ、１３５  中フランジ、１３６  ネック支持部、１３７  段差部、１４１  キャップ、１４２  外フランジ、１４３  キャップ止め片、１４４  内フランジ、１４５  位置決め凸部、１４６  ネック支持部、１４７  抜き孔、１４８  係合溝、１５１  キャップ、１５２  外フランジ、１５３  内フランジ、１５４  係合溝、１５５  テーパ部、１５６  孔部、１５７  紐、１５８  ネック支持部、１６０  ウォータサーバ、１６１  装着部、１６２  ジョイント保持部材、１６２ａ  ジョイント、１６３  ジョイント保持部材、１６４  装着凹部、１６５  挿通孔、１７０  箱、１７１  閉塞片、１７２  折り目線、１７３  把手部、１７４  先端部
【図１】
2018024478.tif 000003
【図２】
2018024478.tif 000004
【図３】
2018024478.tif 000005
【図４】
2018024478.tif 000006
【図５】
2018024478.tif 000007
【図６】
2018024478.tif 000008
【図７】
2018024478.tif 000009
【図８】
2018024478.tif 000010
【図９】
2018024478.tif 000011
【図１０】
2018024478.tif 000012
【図１１】
2018024478.tif 000013
【図１２】
2018024478.tif 000014
【図１３】
2018024478.tif 000015
【図１４】
2018024478.tif 000016
【図１５】
2018024478.tif 000017
【図１６】
2018024478.tif 000018
【図１７】
2018024478.tif 000019
【図１８】
2018024478.tif 000020
【図１９Ａ】
2018024478.tif 000021
【図１９Ｂ】
2018024478.tif 000022
【図２０】
2018024478.tif 000023
【図２１】
2018024478.tif 000024
【図２２】
2018024478.tif 000025
【図２３】
2018024478.tif 000026
【図２４】
2018024478.tif 000027
【図２５】
2018024478.tif 000028
【図２６】
2018024478.tif 000029
【図２７】
2018024478.tif 000030
【図２８】
2018024478.tif 000031
【図２９】
2018024478.tif 000032
【図３０】
2018024478.tif 000033
【図３１】
2018024478.tif 000034
【図３２】
2018024478.tif 000035
【図３３】
2018024478.tif 000036
【図３４】
2018024478.tif 000037
【図３５】
2018024478.tif 000038
【図３６】
2018024478.tif 000039
【図３７】
2018024478.tif 000040